(57)【要約】      （修正有）【課題】電子デバイス、特にタッチスクリーンがあるデバイスを操作するための電気伝導性を有する手袋を提供する。【解決手段】指先部１２のうちの少なくとも１つが、指先部の内表面から指先部の外表面３０への導電経路を構築する導電性のスレッド２８を具え、指先部のうちの少なくとも１つの前記パッド３４の少なくとも一部分と、最遠位先端部４０の少なくとも一部分とを覆うほぼ連続する導電性の領域を形成し、指先部のうちの少なくとも１つの最遠位先端部の少なくとも一部分を覆う領域が、前記指先部のうちの少なくとも１つの前記パッド上の領域よりも幅が狭い手袋１０である。【選択図】図１
2014139364.tif 000002
【特許請求の範囲】
【請求項１】
外表面及び内表面を有する複数の指先部を具える手袋であって、
前記指先部がパッド部と、背部と、少なくとも１つの側部と、最遠位先端部とを具え、前記指先部のパッド部が前記指先部の少なくとも１つの側部と連続し、前記パッド部がさらに前記指先部の最遠位先端部と連続し、前記指先部の最遠位先端部が前記指先部の背部と連続するように配置されており、
前記指先部のうちの少なくとも１つが刺繍領域を具え、前記刺繍領域が、前記指先部の内表面から前記指先部の外表面への導電経路を構築する導電性のスレッドを具え、
前記刺繍領域が、前記指先部のうちの少なくとも１つの前記パッドの少なくとも一部分と、前記最遠位先端部の少なくとも一部分とを覆うほぼ連続する導電性の領域を形成し、前記指先部のうちの少なくとも１つの前記最遠位先端部の少なくとも一部分を覆う刺繍領域が、前記指先部のうちの少なくとも１つの前記パッド上の刺繍領域よりも幅が狭いことを特徴とする手袋。
【請求項２】
請求項１に記載の手袋において、前記導電性のスレッドが前記指先部の外表面から前記指先部の内表面まで延びることを特徴とする手袋。
【請求項３】
請求項１に記載の手袋において、前記刺繍領域が前記指先部のうちの少なくとも１つの前記背部の少なくとも一部分を含むように延在することを特徴とする手袋。
【請求項４】
請求項３に記載の手袋において、前記刺繍領域が前記指先部のうちの少なくとも１つの前記パッド部の少なくとも一部分から前記背部の少なくとも一部分に、導電性のスレッドのほぼ連続した領域を提供することを特徴とする手袋。
【請求項５】
請求項１に記載の手袋が示指部分と母指部分とを具え、前記示指部分及び前記母指部分の指先部が前記刺繍領域を具えることを特徴とする手袋。
【請求項６】
請求項１に記載の手袋において、前記導電性のスレッドが１フィートにつき約８２オームないし１フィートにつき約１４オームで伝導することを特徴とする手袋。
【請求項７】
請求項１に記載の手袋が手掌側を更に具え、前記手掌側がシリコン樹脂模様を含むことを特徴とする手袋。
【請求項８】
請求項１に記載の手袋において、前記手袋が２以上の布地で互いに縫合されることを特徴とする手袋。
【請求項９】
請求項１に記載の手袋において、前記手袋が一対の手袋のうちの一方であり、前記刺繍領域を有する少なくとも１の前記指先部を、前記一対の手袋の前記手袋の各々が具えることを特徴とする手袋。
【発明の詳細な説明】
【技術分野】
【０００１】
［優先権］
本出願は２００９年８月２７日付けの「ＧＬＯＶＥ  ＷＩＴＨ  ＣＯＮＤＵＣＴＩＶＥ  ＦＩＮＧＥＲＴＩＰＳ」という名称の米国仮特許出願第６１／２３７，５２４号に対する優先権を主張し、その開示は本明細書中に引用によって組み込まれる。
【背景技術】
【０００２】
本開示は電子デバイス、特にタッチスクリーンがあるデバイスを操作するための手袋に関する。容量性タッチスクリーンを操作するためには、スクリーンとユーザの指との間の電気伝導性が必要である。従って、このような電子デバイスのユーザにとって、手袋を着用している際にデバイスを操作するのは難しいと分かる。本明細書中に記載の例示的な手袋は指先部が導電性の手袋を提供することによってこの問題を克服している。
【０００３】
多様な手袋が生成され、用いられているが、本発明者の前には誰も本明細書に記載のような発明を生成しておらず、用いていないと考える。
【発明の概要】
【０００４】
手袋は複数の指先部と、外表面と、内表面とを具え、指先部のうちの少なくとも１つは手袋の外表面から手袋の内表面まで延在する導電性のスレッドまたはヤーンを具える。
【図面の簡単な説明】
【０００５】
本明細書は、本発明を詳細に示し、明確に主張する請求項で帰結するが、本発明は添付の図面と合わせて特定の実施例の以下の記載から良好に理解できると考え、同様の引用番号は同様の要素を同定している。
【０００６】
【図１】図１は、例示的な手袋の透視図を示す。
【図２】図２は、図１の手袋の（手掌側からの）底面図を示す。
【図３】図３は、図１の手袋の示指の指先部分の底面図を示す。
【図４】図４は、図１の手袋の示指の指先部分の端面図を示し、手袋は手袋の内側に延在する導電性のスレッドを示すために裏返しにしている。
【図５】図５は、別の例示的な手袋の透視図を示す。
【図６】図６は、図５の手袋の（手掌側からの）底面図を示す。
【図７】図７は、図５の手袋の示指及び母指の指先部分の端面図を示す。
【図８】図８は、図５の手袋の示指及び母指の指先部分の端面図を示し、手袋は手袋の内側に延在する導電性のスレッドを示すために裏返しにしている。
【図９】図９は、別の例示的な手袋の透視図を示す。
【０００７】
図面は決して限定を目的とせず、本発明の多様な実施形態は多様な他の方法で実行でき、図面に必ずしも示されていないものも含むことが意図されている。添付の図面は本明細書の一部に組み込まれて、本明細書を形成し、いくつかの本発明の態様を例示し、説明とともに本発明の原理を説明するために供されるが、本発明は図示した詳細な配置に限定されないことは理解すべきである。
【発明を実施するための形態】
【０００８】
本発明の特定の実施例の以下の記載は、本発明の範囲を限定するのに用いるべきではない。本発明の他の実施例、特徴、態様、実施形態、及び利点は以下の説明から当該技術分野の当業者に明確になるであろう。理解されるように、本発明は異なり、かつ自明の他の態様にできるが、総ては本発明から逸脱しない。従って、図面及び説明は本来例示と見なすべきであり、制限するものと見なすべきではない。
【０００９】
本出願においては、「四指の手指（ｆｉｎｇｅｒ）」及び「指先部（ｆｉｎｇｅｒｔｉｐ）」という言葉は、四指の手指／指先部及び母指／親指先端部にも等しく当てはまる。同様に、「母指（ｔｈｕｍｂ）」及び「親指先端部（ｔｈｕｍｂｔｉｐ）」という言葉は、母指／親指先端部及び四指の手指／指先部にも等しく当てはまる。「手袋（ｇｌｏｖｅ）」は更に二叉手袋を意味してもよい。「ヤーン（ｙａｒｎ）」及び「スレッド（ｔｈｒｅａｄ）」という用語は互換的に用いてもよい。
【００１０】
図１ないし図４は指先部（１２）がある例示的な手袋（１０）を例示する。示指部分（１４）及び母指部分（１６）で、指先部（１２）は導電性である。本実施例においては、手袋（１０）は図１に示すような手甲側（１８）と、図２に示すような手掌側（２０）と、ユーザが手を挿入するための開口部（図示せず）を具える第１の端部（２２）と、指先部（１２）の遠位部分が配置される第２の端部（２４）とを具える。
【００１１】
手袋（１０）は非導電性のヤーン（２６）で実質的に編まれ、更に、示指部分（１４）及び母指部分（１６）の指先部（１２）に編まれた導電性のヤーン（２８）を含む。当然ながら、導電性のヤーン（２８）はいくつかの種類においては、単一の四指の手指部分のみ、若しくは、総ての四指の手指部分の指先部（１２）に、又は手袋（１０）全体にわたって編むことができる。本実施例においては、手袋（１０）は最初にヤーン（２６）で編まれ、次いで導電性のヤーン（２８）は図３及び図４で最良に示されるように、示指部分（１４）及び母指部分（１６）の手袋（１０）に編まれている。図１ないし図４の例示的な種類においては、示指部分（１４）及び母指部分（１６）の指先部（１２）の全体は、導電性のヤーン（２８）と非導電性のヤーン（２６）とを組合わせて編まれている。この構造では、導電性のヤーン（２８）は手袋（１０）の外表面（３０）から手袋（１０）の内表面（３２）に延在して、手袋（１０）の内表面（３２）と接触するユーザの指先部から手袋（１０）の外表面（３０）と接触するタッチスクリーンまでの導電経路を生成する。他のいくつかの種類においては、指先部（１２）を非導電性のヤーン（２６）と導電性のヤーン（２８）とを組合わせて編む代わりに、指先部（１２）は全体的に導電性のヤーン（２８）で編むことができる。本実施例においては、特定の指先部（１２）における導電性のヤーン（２８）及び非導電性のヤーン（２６）の分布は略均一である。他のいくつかの種類においては、特定の指先部（１２）における導電性のヤーン（２８）及び非導電性のヤーン（２６）の分布は非均一にできる。例えば、特定の指先部（１２）は、導電性のヤーン（２８）の１以上の高密度領域とともに非導電性のヤーン（２６）の領域を含むように編むことができる。
【００１２】
導電性のヤーン（２８）を含む編んだ領域の形状及び指先部（１２）の長さはタッチスクリーンを操作するのに用いられる四指の手指及び／又は母指の部分に考慮することができる。本実施例においては、示指部分（１４）及び母指部分（１６）の指先部（１２）の末端の約１．５インチは導電性のヤーン（２８）を含むが、当然ながら長さが大きいもの又は小さいものを用いてもよい。更に、導電性のヤーン（２８）を指先部（１２）の総ての領域に編むことができる。例えば、例示した種類においては、示指部分（１４）及び母指部分（１６）で、導電性のヤーン（２８）はそれらの指先部（１２）のパッド部（３４）、背部（３６）、側部（３８）、及び最遠位先端部（４０）に配置される。他のいくつかの種類においては、導電性のヤーン（２８）は総ての領域ではなく、指先部（１２）の選択された領域に配置される。例示した種類においては、ユーザは、ユーザの四指の手指とタッチスクリーンとの間の電気経路を生成するのに十分な量及び配置で、導電性のヤーン（２８）を含む指先部（１２）の任意の部分（例えば、パッド部（３４）、側部（３８）、先端部（４０）等）とタッチスクリーンを接触させることによって、タッチスクリーンを操作できる。
【００１３】
手袋（１０）の非導電部分は当該技術分野で既知の方法を用い、限定しないがアクリル性のヤーン、ライクラ、又は羽状のヤーン（１００％ナイロン）を含む、当該技術分野で既知の材料を用いて編むことができる。手袋（１０）の導電部分は更に、当該技術分野で既知の方法を用い、導電性のヤーンを用いて編むことができる。いくつかの種類においては、導電性のヤーン（２８）は非導電性のスレッドと混合した導電性のスレッドの２の端部を含む。いくつかの種類においては、導電性のヤーン（２８）は１フィートにつき８２オームないし１フィートにつき１４オームで伝導できる。手袋（１０）は機械編み、手編みにできる。
【００１４】
図２は更に手袋（１０）の手掌側（２０）に縫い付けられた手掌パッチ（４２）を例示する。本実施例においては、手掌パッチ（４２）は皮革で構成され、物体（例えば、タッチスクリーン等がある物体）を把持するのを補助できる。手掌パッチ（４２）用の他の合成材料は、本明細書の教示を考慮すると当該技術分野の当業者に明らかであり、特にスエード革、合成皮革、合成スエード革、ピグスプリト、エンボスポリウレタン、シリコン樹脂を含んでもよい。
【００１５】
本明細書中の教示を考慮すると、手袋（１０）に対する他の多様な構造及び変更は当該技術分野の当業者に自明である。例示のみであり限定しないが、導電性のヤーン（２８）は、ユーザの四指の手指からタッチスクリーンに電気インパルスを導電するのに十分な導電性のスレッドがある限り、任意の装飾パターンに編んでもよい。いくつかの種類においては、一対の手袋由来の一方の手袋（１０）の総て又は一部分の指先部（１２）は導電性であるが、他の種類においては、一対の手袋由来の双方の手袋（１０）の総て又は一部分の指先部（１２）が導電性である。
【００１６】
図５ないし図８は指先部（１１２）がある別の例示的な手袋（１１０）を例示する。示指部分（１１４）及び母指部分（１１６）で、指先部（１１２）は導電性である。本実施例においては、手袋（１１０）は図５に示すような手甲側（１１８）と、図６に示すような手掌側（１２０）と、ユーザが手を挿入するための開口部（図示せず）を具える第１の端部（１２２）と、指先部（１１２）の遠位部分が配置される  第２の端部（１２４）とを具える。
【００１７】
手袋（１１０）は当該技術分野で既知の方法を用いて裁断した布地を互いに組合わせる（例えば、裁断した布地を互いに縫合して縫合部を形成する）ことによって構成される。本実施例においては、手袋（１１０）は手掌の布地（１４４）と、手甲の布地（１４６）と、縫合した布地（１４８）と、示指の布地（１５０）と、母指の布地（１５２）とを具える。これらの布地は一般的には図示するように互いに縫合して手袋（１１０）を形成するための非導電性の布地（１２６）である。導電性のスレッド（１２８）は、示指部分（１１４）及び母指部分（１１６）の指先部（１１２）を構成して、ユーザの指先部とタッチスクリーンとの間に導電経路を提供する布地に刺繍されるか、あるいは縫い付けられる。任意の公知の刺繍技術は導電性のスレッド（１２８）を手袋（１１０）の指先部（１１２）に構成するのに用いてもよい。導電性のスレッド（１２８）があるこの刺繍又は縫い目は、布地（１４４、１４６、１４８、１５０、１５２）が手袋（１１０）を形成するよう組合わされる前に、あるいは布地（１４４、１４６、１４８、１５０、１５２）が手袋（１１０）を形成するよう組合わされた後に行われうる。いずれのアプローチにおいても、導電性のスレッド（１２８）は手袋（１１０）の内表面（１３２）から手袋（１１０）の外表面（１３０）に通過して、手袋（１１０）の内側のユーザの指先部と、手袋（１１０）の外側にある導電性の刺繍又は縫い目との間に導電経路を提供し、結果として、容量性タッチスクリーンに接触する。
【００１８】
本実施例においては、導電性のスレッド（１２８）がある刺繍又は縫い目は、刺繍又は縫い目自体が図７及び図８に最良に示されるように、手袋（１１０）の外表面（１３０）から手袋（１１０）の内表面（１３２）まで延在するように示指の布地（１５０）及び母指の布地（１５２）上に直接的に存在する。他の種類においては、導電性のスレッド（１２８）がある刺繍又は縫い目は、示指部分（１１４）及び母指部分（１１６）において指先部（１１２）の外表面（１３０）に縫われる別個の布地片で仕上げられる。別個の刺繍片又は縫った小片の取付は、手袋（１１０）の外表面（１３０）にある導電性の刺繍又は縫い目と、手袋（１１０）の内表面（１３２）にあるユーザの指先部の双方から延在し、かつその双方と接触する導電性のスレッド（１２８）で行われる。この配置においては、導電性の刺繍片又は縫った小片を手袋（１１０）に取付ける導電性のスレッド（１２８）によって回路が完成し、手袋（１１０）の内部のユーザの指先部と手袋（１１０）の外側の別個の布地片との間の経路を構築する。更に他の種類においては、導電性のスレッド（１２８）はそれぞれ示指部分（１１４）及び母指部分（１１６）の示指の布地（１５０）及び母指の布地（１５２）にあり、導電性のスレッド（１２８）は次いで非導電性のスレッドで布地（１５０、１５２）に縫い付けられる。
【００１９】
図５ないし図８に例示した種類では、示指部分（１１４）及び母指部分（１１６）の導電性の指先部（１１２）を示しているが、他の種類においては、導電性のスレッド（１２８）は、単一の四指の手指部分のみ、若しくは、総ての四指の手指部分の指先部（１１２）に、又は手袋（１１０）全体にわたる他の位置に刺繍するか、あるいは縫い付けることができる。導電性のスレッド（１２８）が、一般的にはタッチスクリーンに直接的に接触せず、それを操作しない手袋（１１０）の位置（例えば、手甲領域又は手掌領域）に配置される場合、このような位置とタッチスクリーンに接触し、かつそれを操作する領域（例えば、指先部（１１２））との間の連結部は、その領域を導電性のスレッド（１２８）と連結して、回路を完成させることによって構築される。
【００２０】
導電性のスレッド（１２８）を含む指先部（１１２）の刺繍領域又は縫い込んだ領域（１５４）の形状及び長さはタッチスクリーンを操作するのに用いられる四指の手指及び／又は母指の部分に考慮することができる。本実施例においては、示指部分（１１４）及び母指部分（１１６）に位置する導電性の刺繍又は縫い目（１５４）は、上部（１５６）と、下部（１５８）と、幅が上部及び下部（１５６、１５８）と比較して狭いくびれ部分（１６０）とがある砂時計形状を含んである。砂時計形状のくびれ部分（１６０）は指先部（１１２）の最遠位先端部（１４０）を包み、ひいては上部（１５６）は手袋（１１０）の手甲側（１１８）にある指先部（１１２）の背部（１３６）に延在する一方、下部（１５８）は手袋（１１０）の手掌側（１２０）にある指先部（１１２）のパッド部（１３４）に延在する。導電性の刺繍又は縫い目（１５４）に関するこの構造によって、示指部分（１１４）及び母指部分（１１６）の指先部（１１２）のパッド部（１３４）ないし背部（１３６）に導電性のスレッド（１２８）の連続した領域を与える。この配置においては、ユーザは、ユーザの四指の手指とタッチスクリーンとの間の電気経路を生成するのに十分な量及び配置で、導電性のスレッド（１２８）を含む指先部（１１２）の任意の部分（例えば、パッド部（１３４）、背部（１３６）、先端部（１４０））とタッチスクリーンを接触させることによって、タッチスクリーンを操作できる。
【００２１】
図６に示すように、導電性の刺繍又は縫い目（１５４）の下部（１５８）は湾曲した下縁部（１６２）とシェヴロン部（１６４）とを具える。本実施例においては、示指部分（１１４）及び母指部分（１１６）の湾曲した下縁部（１６２）はユーザがタッチスクリーンを操作するのに用いることができる示指及び母指の部分に導電性の刺繍を延在するよう構成される。更に本実施例においては、シェヴロン部（１６４）は導電性のスレッド（１２８）で刺繍されないか、あるいは縫い付けられない領域を表している。しかしながら、いくつかの種類においては、シェヴロン部（１６４）は、導電性が大きいスレッドでシェヴロン部（１６４）が刺繍されるか、あるいは縫い付けられた、導電性の大きな領域を表す。更なるいくつかの種類においては、シェヴロン部（１６４）のみが導電性のスレッド（１２８）を具え、更なる周囲の刺繍又は縫い目はない。本明細書中の教示を考慮すると、導電性の刺繍又は縫い目（１５４）に関する他の形状及び寸法は当該技術分野の当業者に自明であろう。
【００２２】
手袋（１１０）の非導電部分は手袋／二叉手袋の製造で当該技術分野で既知の材料を用いて構成することができる。例えばいくつかの種類においては、スパンデックス（７７％のナイロン、２３％のスパンデックス）は１００％のポリエステルフリースにラミネートされて、手袋（１１０）を形成する。いくつかの種類においては、手袋（１１０）は伸長性のフリース（９４％のポリエステル、６％のスパンデックス）で生成されるか、あるいは手袋（１１０）は伸長性のフリースで生成され、かつ、ジャージーは手掌側（１２０）にある把持部のシリコン樹脂模様（１４２）の側につく。他の種類においては、手袋（１１０）は手甲側（１１８）で用いるために１００％のポリエステルフリースにラミネートされる、織目加工した伸長性の材料（６０％のタクテル、３０％のクールマックス、１０％のライクラスパンデックス）を含む。別の種類は手甲側（１１８）において伸長性のオットマン（９６％のポリエステル、４％のスパンデックス）を含む。他の種類においては、他の種類においては、織目加工した耐水性又は撥水性の超極細繊維の布地は１００％のポリエステルフリースにラミネートされる。更に他の種類においては、手袋（１１０）は１００％のポリエステルフリースにラミネートされた織目加工したニット（１００％のポリエステル）で生成される。ヘアシープ又はヤギ皮のレザーはいくつかの種類においては、手袋（１１０）の手甲側（１１８）で用いることができる。手袋（１１０）の袖口部、手掌部、及び指のまち部は８０％のナイロンと２０％のライクラスパンデックスとの混合物、若しくは７９％のナイロンと２１％のライクラスパンデックスとの混合物、又は更に縫合した布地（１４８）で用いることができる伸長性のフリース材料（９４％のポリエステル、６％のライクラスパンデックス）で生成できる。合成スエード革（６０％のポリウレタン、４０％のナイロン）はアップリケ又はタブとして用いることができる。手袋（１１０）はいくつかの種類においては、ピグスプリト又はエンボスポリウレタンで生成される手掌パッチを具える。本明細書中の教示を考慮すると、手袋（１１０）に対する他の構成材料は当該技術分野の当業者に自明である。
【００２３】
任意の導電性のスレッドは、ユーザの四指の手指からタッチスクリーンに電気インパルスを導電するのに十分な導電性がある限り、手袋（１１０）を生成するのに用いることができる。本実施例においては、導電性のスレッド（１２８）は１フィートにつき８２オームないし１フィートにつき１４オームで伝導できる。上述のように、手袋（１１０）はいくつかの種類においては、刺繍又は縫い目が機械的な機械編みである。本実施例においては、導電性のスレッド（１２８）を手袋（１１０）に刺繍するか、あるいは縫い込まれる場合に、導電性のスレッド（１２８）は上部及び下部の双方のボビン部で用いられる。他のいくつかの種類においては、導電性のスレッド（１２８）を手袋（１１０）に刺繍するか、あるいは縫い付けた場合に、導電性のスレッド（１２８）は上部のボビン部のみで用いられる。更に他のいくつかの種類においては、導電性のスレッド（１２８）を手袋（１１０）に刺繍するか、あるいは縫い付けた場合に、導電性のスレッド（１２８）は下部のボビン部のスレッドのみで用いられる。他の種類においては、導電性のスレッド（１２８）は手袋（１１０）に手編みされる。縫い目又は刺繍用の導電性のスレッド（１２８）は、４の端部が１フィートにつき９０オームないし１フィートにつき９５オームで伝導する微細なスレッドで構成できる。このような導電性のスレッド（１２８）は銀で被膜した１００％ナイロンのスレッドにでき、コーティング前の厚さが２８０Ｄでありコーティング後の厚さが３４０Ｄである。本明細書中の教示を考慮すると、手袋（１１０）を生成するのに用いた別の種類の導電性のスレッド（１２８）は当該技術分野の当業者に自明である。
【００２４】
図６は更に、手袋（１１０）の手掌側（１２０）にあるシリコン樹脂模様（１４２）を例示する。本実施例においては、シリコン樹脂模様（１４２）はダイヤモンドパターンで印刷され、物体（例えば、タッチスクリーンのある物体等）を把持するのを補助する。手掌側（１２０）の把持部を増強するための他の構成材料は本明細書中の教示を考慮すると、当該技術分野の当業者に自明であり、特にスエード革、合成皮革、合成スエード革、ピグスプリト、エンボスポリウレタンで構成される多様な手掌パッチを具えてもよい。
【００２５】
本明細書中の教示を考慮すると、手袋（１１０）に対する他の多様な構造及び変更は当該技術分野の当業者に自明である。例示のみであり限定しないが、導電性のスレッド（１２８）は、ユーザの四指の手指からタッチスクリーンに電気インパルスを導電するのに十分な導電性のスレッドがある限り、任意の装飾パターンに刺繍するか、あるいは縫い付けてもよい。いくつかの種類においては、一対の手袋由来の一方の手袋（１１０）の総て又は一部分の指先部（１１２）は導電性であるが、他の種類においては、一対の手袋由来の双方の手袋（１１０）の総て又は一部分の指先部（１１２）が導電性である。いくつかの種類においては、手袋（１１０）の母指及び示指は導電性の指先部（１１２）のみにできる。いくつかの種類においては、指先部（１１２）の導電部分は、特に、多くの場合母指の側部でタッチスクリーンを押下するユーザのために、母指のパッド部（１３４）を覆う領域に直接的に配置するのではなく、示指の指先部及び親指先端部の側部部分に配置できる。
【００２６】
図９は、指先部（２１２）が導電性の別の例示的な手袋（２１０）を例示する。図５ないし図８の手袋（１１０）と同様に、手袋（２１０）は手甲側（２１８）と、手掌側（図示せず）と、ユーザが手を挿入するための開口部（図示せず）を具える第１の端部（２２２）と、指先部（２１２）の遠位部分が配置される第２の端部（２２４）とを具える。手袋（２１０）は手袋（１１０）と同様の方法、つまり当該技術分野で既知のプロセスを用いて裁断した布地を互いに組合わせる（例えば、裁断した布地を互いに縫合して縫合部を形成する）ことによって構成される。本実施例においては、手袋（２１０）は手掌の布地（図示せず）と、手甲の布地（２４６）と、縫合した布地（２４８）とを具える。手掌部及び手甲の布地は一般的には、手袋（２１０）を形成するために互いに縫合される非導電性の布地（２２６）である。縫合した布地（２４８）は手掌部と手甲の布地との間で縫合され、手掌部と手甲の布地とを結合する。本実施例においては、縫合した布地（２４８）はテープ（例えば、編まれるか、あるいは織られたテープ）を含み、導電性のスレッド（２２８）はテープ状に編まれるか、あるいは織られる。他のいくつかの種類においては、導電性のスレッド（２２８）を組み込むあや織物のテープを用いることができる。テープは手袋（２１０）の指先部（２１２）にわたる縫合部ごとに置かれ、テープの末端は手袋の内側にあるユーザの四指の手指を接触させるように縫合されうる。本実施例においては、総ての縫合した布地（２４８）は導電性のスレッド（２２８）があるテープを具えるが、他の種類においては、導電性のスレッド（２２８）を含む縫合した布地（２４８）の部分は指先部（２１２）を取り囲む領域に限定される。本明細書中の教示を考慮すると、手袋（２１０）に対する他の多様な構造及び変更は当該技術分野の当業者に自明である。
【００２７】
本発明の多様な実施形態を図示及び説明してきたが、本明細書中に記載の方法及びシステムの更なる構成は、本発明の範囲を逸脱することなく、当該技術分野の当業者による好適な変更によって、実現できる。このような可能な変更のいくつかは記載されており、他のものは当該技術分野の当業者に自明である。例えば、上述の実施例、実施形態、形状、材料、寸法、比率、及びステップ等は例示であり、必須ではない。従って、本発明の範囲は以下の特許請求の範囲から考えるべきであり、明細書及び図面に示し、説明した構造及び動作の詳細に限定するものではないと理解されよう。
【図１】
2014139364.tif 000003
【図２】
2014139364.tif 000004
【図３】
2014139364.tif 000005
【図４】
2014139364.tif 000006
【図５】
2014139364.tif 000007
【図６】
2014139364.tif 000008
【図７】
2014139364.tif 000009
【図８】
2014139364.tif 000010
【図９】
2014139364.tif 000011